(57)【要約】【課題】画像読取装置において、原稿台プラテンガラス上にセットされた製本原稿を読み取る際、画像品位を損なわず画像情報を高精度に読み取ることで高品位の画像が得られ、また製造コストも安価に抑えられるようにする。【解決手段】原稿台部材を構成する第１，第２プラテンガラス１２ａ，１２ｂ（第１，第２平板）が山折り状態から平坦にまたはその逆に移行でき、その動作は原稿台カバー（圧板カバー）４を開閉する動作に連動する。原稿台カバー４を開きそれに連動させて第１，第２プラテンガラス１２ａ，１２ｂを山折り状態にし、製本原稿１１の綴じ代を内側にして山折り部に合わせると、自動的に位置決めされる。原稿台カバー４を閉じるとそれに連動して第１，第２プラテンガラス１２ａ，１２ｂが平坦になり、原稿台カバー４は製本原稿１１を押さえつけて画像情報の読み取りが行われる。したがって、画像むらのない高品位の画像が得られる。【選択図】  図１
2008139547.tif 000002
【特許請求の範囲】
【請求項１】
原稿台部材上に載置した原稿の画像を読み取る画像読取装置において、
前記原稿台部材が平坦な状態から中央部で山折り可能なように第１平板と第２平板とからなっており、作動機構によって山折り状態の前記第１，第２平板を平坦状態に移行させるよう構成したことを特徴とする画像読取装置。
【請求項２】
一端側を回動基点にして他端側から開閉することによって前記原稿台部材の載置面を開放しかつ覆い隠すカバーを有し、
前記カバーを開閉する動作に前記作動機構を連動させて、前記第１，第２平板が平坦状態から山折り状態にまたはその逆に移動することを特徴とする請求項１に記載の画像読取装置。
【請求項３】
前記第１，第２平板のいずれか一方がその裾端で回動可能にヒンジされ、かつ他方がその裾端でスライドして移動することによって、前記第１，第２平板が互いに山形状に寄り合いかつ互いの裾端を離間させて平坦になることを特徴とする請求項１または２に記載の画像読取装置。
【請求項４】
前記第１，第２平板が第１および第２のプラテンガラスでなっているとき、それら第１，第２プラテンガラスの対向端を第１ヒンジで山折り可能に連結するとともに、いずれか一方の裾端を第２ヒンジで回動可能に軸支しかつ他方の裾端がガイドレールに案内されて摺動可能となっていることを特徴とする請求項１乃至３のいずれか１項に記載の画像読取装置。
【請求項５】
一端側を回動基点にして他端側から開閉することによって前記原稿台部材の載置面を開放しかつ覆い隠すカバーを有し、
前記原稿が製本原稿であるとき、その読取面を開いて綴じ代部を内側から前記第１，第２平板による山折り頂部に合わせて載置して位置決めし、前記カバーを閉じる動作で前記作動機構を作動させて前記製本原稿を押さえつけ、山折り状態の前記第１，第２平板を平坦になる方向へ移行させることを特徴とする請求項１に記載の画像読取装置。
【請求項６】
画像の読み取られる原稿が載置される原稿支持装置であって、原稿が載置される原稿台部材を有し、
前記原稿台部材が平坦な状態から中央部で山折り可能なように第１平板と，第２平板と、からなっており、作動機構によって山折り状態の前記第１，第２平板を平坦状態に移行させるよう構成したことを特徴とする原稿支持装置。
【発明の詳細な説明】
【技術分野】
【０００１】
本発明は、原稿台に載置された原稿の画像情報を読み取る画像読取装置および原稿支持装置に関するものである。
【背景技術】
【０００２】
プラテンガラスなどによる原稿台上に製本原稿の画像情報を読み取る場合、原稿に綴じ代部を有するので読み取った画像品位が損なわれる。このような製本原稿の読み取りに対処するため、図７および図８に示す画像読取装置が知られている。
【０００３】
原稿台ガラス３上に製本原稿は下向きにしてセットされ、原稿台カバー４でその製本原稿の綴じ代部を上から押さえつけて、読取面を原稿台ガラス３上に押し付けるように被せる。製本原稿の読取面を螢光灯ランプ２によって照射し、反射光をミラー５，７およびレンズ６を介してＣＣＤ１の面上に集光する。ミラー５，７はＤＣサーボモータによって一定速度で移動可能となっている。これにより、製本原稿の読取面全域の画像をラインごとに順次ＣＣＤ１によって光電的に読み取る。
【０００４】
その場合、製本原稿の綴じ代部を完全に開くことができないので、読取面の原稿台に接しない部分が生じてしまい、原稿台へ投影される見かけの原稿サイズが減少することになる。それへの対応手段として、製本原稿の端面を位置決め部材に突き当てるようにした構造のものが知られているが、これでは原稿台における読取中心位置に対して製本原稿の中心位置がずれてしまう問題がある。また一方、使用者が見かけの原稿サイズの減少を考慮し、使用者自らが製本原稿を原稿台における読取中心位置にセット位置を修正する手段ととることがあるが、セット位置における位置決めがやはり不安定で画像高品位を期待できない。
【０００５】
製本原稿について高品位の画像を読み取ることを目標にこれまで多くの技術が提案されてきた（たとえば、特許文献１，２参照）。これら特許文献１，２には製本原稿をセットする原稿台の載置面を「山型」形状に形成し、綴じ代部で完全に開けない製本原稿の読取面をその山型の原稿台載置面に載せる構造が開示されている。加えて、特許文献１の画像読取装置の場合、かかる山型の原稿台の近傍に光源とミラーを配置し、それらを原稿台に沿って立体的に往復移動させる。光学系読取素子もまたそうした光源とミラーの往復運動に同期して立体的に往復運動させる。また、特許文献２の画像読取装置補助ユニットにあっては山型の原稿台に投影部材を用いて構成している。
【０００６】
【特許文献１】実公昭６１−１６２１７８号公報
【特許文献２】特開２００２−２２９１３２号公報
【発明の開示】
【発明が解決しようとする課題】
【０００７】
しかしながら、上記特許文献１にあっては、光源やミラー、そして光学系読取素子を往復動させる駆動機構が非常に複雑化し、それら光学系部品が立体移動することから屈曲部などにおいて振動が発生し、画像の読取不良を引き起こすことが懸念される。
【０００８】
また、上記特許文献２にあっては、投影部材の厚さが画像読取装置ごとに異なるため、透過率に違いが生じてそれが画像濃度むらの原因となり、高品位画像を期待できない。その場合、投影部材の素材にグラスファイバなどを用いることが開示されているが、材料コストが非常に高価につくので実用的ではない。
【０００９】
したがって、本発明の目的は、原稿台上の特に製本のごとき原稿を読み取る際、画像品位を損なわず画像情報を高精度に読み取ることで高品位の画像が得られ、また製造コストも安価に抑えられる画像読取装置および原稿支持装置を提供することにある。
【課題を解決するための手段】
【００１０】
上記目的を達成するために、本発明による画像読取装置は、原稿台部材上に載置した原稿の画像を読み取るものにおいて、前記原稿台部材が平坦な状態から中央部で山折り可能なように第１平板と，第２平板と、からなっており、作動機構によって山折り状態の前記第１，第２平板を平坦状態に移行させるよう構成したことを特徴とする。
【００１１】
また、本発明による原稿支持装置は、画像の読み取られる原稿が載置される原稿支持装置であって、原稿が載置される原稿台部材を有し、前記原稿台部材が平坦な状態から中央部で山折り可能なように第１平板と，第２平板と、からなっており、作動機構によって山折り状態の前記第１，第２平板を平坦状態に移行させるよう構成したことを特徴とする。
【発明の効果】
【００１２】
本発明の画像読取装置によれば、原稿を載せて読み取るための原稿台部材を第１および第２平板で構成し、山折り状態にして原稿を載せることで簡便に原稿の位置決めが行え、読取時に平坦になるようにして原稿読取面の画像を読み取る。そのため、画像むらのない高品位の画像を得ることができる。
【００１３】
また、本発明の原稿支持装置によれば、画像むらのない高品位の画像を得るように原稿が載置される。
【発明を実施するための最良の形態】
【００１４】
以下、本発明の画像読取装置および原稿支持装置について、それぞれ好適な実施形態を図面を参照して詳細に説明する。
【００１５】
（原稿支持装置の作動機構）
図１（ａ），（ｂ）は、本実施形態による画像読取装置を示す。書籍などの製本原稿１１を読み取る際、画像読取装置の装置本体８の上部には製本原稿１１を載せて位置決めするのにそれを補助する以下の各部材からなる作動機構１０が装備されている。
【００１６】
作動機構１０は、製本原稿１１の読取面を合わせて載せる原稿台部材を構成する第１，第２プラテンガラス（第１，第２平板）１２ａ，１２ｂを有し、それら両プラテンガラス１２ａ，１２ｂは突合せ面を互いに第１ヒンジ１３ａ，１３ｂで連結して「山折り」形状を形成できるようになっている。
【００１７】
山折り形状をなす一方の第１プラテンガラス１２ａの一端側である裾端は、ここを回動基点にして図２に示すように第２ヒンジ１４ａ，１４ｂで装置本体８に対して回動可能に連結されている。また、図１（ｂ）に示すように、他方の第２プラテンガラス１２ｂは裾両端が摺動部材のスライド駒１５ａ，１５ｂによって装置本体８の両側に設けた平行一対のガイドレール１６ａ，１６ｂに案内されて摺動可能となっている。そのように他方の第２プラテンガラス１２ｂをスライドさせることによって［図４（ａ）参照］、一方の第１プラテンガラス１２ａとの山折り角度が調整可能になっている。
【００１８】
図３（ａ），（ｂ）は、山折りされた第１，第２プラテンガラス１２ａ，１２ｂ上に製本原稿１１をこの読取面を載せた状態を示している。第１，第２プラテンガラス１２ａ，１２ｂの山折り頂部を互いに連結している第１ヒンジ１３ａ，１３ｂは、たとえば図中符号Ｘで示す反時計廻り方向への回転自由度を有している。図３（ａ）に示すように、製本原稿１１はこの綴じ代部の内側を第１，第２プラテンガラス１２ａ，１２ｂの山折り頂部に合わせて両側の傾斜面に載置される。このように製本原稿１１を載置セットすることによって、第１，第２プラテンガラス１２ａ，１２ｂ上に簡便に位置決めされる。製本原稿１１をそのように載置すると、その重みと次に説明する原稿台カバー（圧板カバー）４による閉時の重さでもって第１，第２プラテンガラス１２ａ，１２ｂが第１ヒンジ１３ａ，１３ｂを中心にして符号Ｙ方向に開くように回動する。図３（ｂ）に示すように、製本原稿１１を載せたまま第１，第２プラテンガラス１２ａ，１２ｂはほぼ平らな状態になり、製本原稿１１の読取面の画像情報を読み取れるようになる。図４（ａ），（ｂ）はそうした動作を示している。
【００１９】
そのとき、第１ヒンジ１３ａ，１３ｂの回転中心は、第１，第２プラテンガラス１２ａ，１２ｂの載置面の延長上に存在する。そのため、製本原稿１１を載置した状態と画像読取可能な状態との間において、第１，第２プラテンガラス１２ａ，１２ｂの載置面に接触する製本原稿１１の読取面とプラテンガラス載置面との位置関係にずれが生じない。したがって、第１，第２プラテンガラス１２ａ，１２ｂ上に製本原稿１１を載置した状態を維持しつつ画像の読み取りが行われるので、安定した読取画像を得ることができる。
【００２０】
ここで、図５および図６（ａ），（ｂ）を参照して原稿支持装置の作動機構１０の構成について説明する。
【００２１】
前述のように、第１プラテンガラス１２ａの裾両端は第２ヒンジ１４ａ，１４ｂで回動可能に支持されている。それら両側の第２ヒンジ１４ａ，１４ｂは１本のシャフト１７に固定して設けられるか、もしくはシャフト１７上に一体加工されている。シャフト１７は第１プラテンガラス１２ａの裾端幅方向の長さ寸法よりも長く、シャフト両端部が軸受１８で回転可能に軸支されている。
【００２２】
また、シャフト１７上にたとえば斜歯歯車状の第１ギア１９が設けられている。原稿台カバー４には同じく斜歯歯車状の第２ギア２０が回転可能に軸支して設けられており、回転伝達が可能に第１ギア１９に噛合している。したがって、原稿台カバー４を開放しかつ覆い隠す方向に開閉動作させると、その開閉動作が第２ギア２０からシャフト１７上の第１ギア１９に伝達されるようになっている。すなわち、原稿台カバー４の開閉動作の力が第２ギア２０を介して回転力としてシャフト１７上の第１ギア１９に伝達されると、シャフト１７が回転し、このシャフト１７上の両端の第２ヒンジ１４ａ，１４ｂを介して第１プラテンガラス１２ａに伝わる。第１プラテンガラス１２ａはこの基端部の第２ヒンジ１４ａ，１４ｂを回動支点にしてたとえば上昇する方向に回動し、その回動でもって第１ヒンジ１３ａ，１３ｂを介して第２プラテンガラス１２ｂを引っ張り上げる。それによって、第１ヒンジ１３ａ，１３ｂを山折り頂部にして山折り形状になる。
【００２３】
図６（ａ）に示すように、原稿台カバー４を開くと、それに連動して自動的に第１，第２プラテンガラス１２ａ，１２ｂが中央部で山折り形状になり、その山折り頂部に製本原稿１１の綴じ代部を内側から合わせて載せる。それだけで製本原稿１１が自動的に位置決めされる。原稿位置決め後、原稿台カバー４を閉じると、図６（ｂ）に示すように、それに連動して第１，第２プラテンガラス１２ａ，１２ｂが山折り形状から平坦状態の形状になる。上述の原稿台カバー４、作動機構１０、第１、第２プラテンガラス１２ａ、１２ｂによって原稿の読み取られる原稿を支持するための原稿支持装置が構成される。
【００２４】
製本原稿１１は、装置本体８に装備されている螢光灯ランプ（図示略）によって照射され、その反射光は図８で示されたようなミラーとレンズを介してＣＣＤの面上に集光される。ミラーはＤＣサーボモータにより一定速度で移動する。これにより、製本原稿１１の読取面全域の画像をラインごとに順次ＣＣＤで光電的に読み取る。
【００２５】
以上をまとめると、本実施形態の画像読取装置によれば、原稿載置面を形成する第１，第２プラテンガラス１２ａ，１２ｂのガラス面に対して製本原稿１１の読取面が一様に接触するので、装置本体８と製本原稿１１との間の透過率が一定となって画像濃度むらを防止できる。すなわち、製本原稿１１を原稿台上にセットした初期の段階で、綴じ代部の内側の読取面中心部が山折り形状となっている第１，第２プラテンガラス１２ａ，１２ｂの山折り頂部に合致して自動的に位置決めされ、そのことが読取精度の向上につながって画像濃度むらの防止に有効となる。
【００２６】
なお、原稿支持装置を画像読取装置に組み込んだ形態を例示して説明してきた。しかしがら、原稿支持装置をユニット化して、画像読取装置本体に着脱自在に装着するようにしてもよい。そして、製本原稿の画像を読み取る際には、画像読取装置本体にユニット化した原稿支持装置を取り付けて製本原稿の画像を読み取るようにする。製本原稿でない原稿の画像を読み取る場合には、ユニット化した原稿支持装置を画像読取装置本体から取り外して画像読取装置本体で原稿の画像を読み取る。このように構成してもよい。
【００２７】
以上、本発明による画像読取装置の作動機構は上記の実施形態に限定されるものではなく、本発明の主旨を逸脱しない範囲内であればその他の実施形態、応用例、変形例およびそれらの組み合わせも可能である。
【図面の簡単な説明】
【００２８】
【図１】同図（ａ），（ｂ）は本発明による実施形態の画像読取装置の全体図とその要部である第１，第２プラテンガラスを示す図。
【図２】同第１，第２プラテンガラスの一部を示す図。
【図３】同図（ａ），（ｂ）はその山折り形状の第１，第２プラテンガラス上に製本原稿の綴じ代部を合わせてセットした位置決め状態を示す図と原稿台カバーによる押し付けで第１，第２プラテンガラスが平坦になりそれに製本原稿が追従する様態を示す図。
【図４】同３（ａ），（ｂ）は上記図３における状態の第２プラテンガラスがスライド移動して山折り状態から平坦状態になる様態を示す図。
【図５】原稿台カバーの開閉動作を第１プラテンガラスの回動に伝達して連動させる機構を示す図。
【図６】同図（ａ），（ｂ）は上記図５の原稿台カバー開閉動作に連動して第１プラテンガラスが山折り状態から平坦状態に移行する様態を示す図。
【図７】従来の画像読取装置を示す図。
【図８】同従来例の構成図
【符号の説明】
【００２９】
４              原稿台カバー（圧板カバー）
８              画像読取装置本体
１０            作動機構
１１            製本原稿
１２ａ          第１プラテンガラス（第１平板：原稿台部材）
１２ｂ          第２プラテンガラス（第２平板：原稿台部材）
１３ａ，１３ｂ  第１ヒンジ
１４ａ，１４ｂ  第２ヒンジ
１５ａ，１５ｂ  スライド駒
１６ａ，１６ｂ  ガイドレール
１７            シャフト
１８            軸受
１９            第１ギア
２０            第２ギア
【図１】
2008139547.tif 000003
【図２】
2008139547.tif 000004
【図３】
2008139547.tif 000005
【図４】
2008139547.tif 000006
【図５】
2008139547.tif 000007
【図６】
2008139547.tif 000008
【図７】
2008139547.tif 000009
【図８】
2008139547.tif 000010